(57)【要約】【課題】  一方の部材側の調節ねじを他方の部材側のねじ孔に螺合する作業を容易に行うことができる部材間の隙間調節構造の提供。【解決手段】  一方の部材１６と他方の部材１７とを接近離間自在とするために、一方の部材１６に形成された挿通孔８１に挿通されるとともに他方の部材１７に形成されたねじ孔４２に螺合する調節ねじ８２と、調節ねじ８２に外装された状態で両部材１６，１７間に配置されて両部材１６，１７どうしを離間させる方向に付勢する調節ねじ緩み止め用のコイルばね４６とを有し、調節ねじ８２を回転させることで一方の部材１６と他方の部材１７との間の隙間δの量を調節する部材間の隙間調節構造であって、ねじ孔４２をコイルばね４６の一端開口の内側に位置するようコイルばね４６を他方の部材１７に取付けた構成。【選択図】  図４
2006094797.tif 000002
【特許請求の範囲】
【請求項１】
一方の部材（１６）と他方の部材（１７）とを接近離間自在とするために、前記一方の部材（１６）に形成された挿通孔（８１）に挿通されるとともに他方の部材（１７）に形成されたねじ孔（４２）に螺合する調節ねじ（８２）と、該調節ねじ（８２）に外装された状態で前記両部材（１６，１７）間に配置されて両部材（１６，１７）どうしを離間させる方向に付勢する調節ねじ緩み止め用のコイルばね（４６）とを有し、前記調節ねじ（８２）を回転させることで前記一方の部材（１６）と他方の部材（１７）との間の隙間（δ）の量を調節する部材間の隙間調節構造であって、
前記ねじ孔（４２）が前記コイルばね（４６）の一端開口の内側に位置するようコイルばね（４６）が前記他方の部材（１７）に取付けられていることを特徴とする部材間の隙間調節構造。
【請求項２】
ねじ孔（４２）の開口部近傍にコイルばね（４６）の一端部が嵌合する嵌合部（３７，４５）が設けられていることを特徴とする請求項１記載の部材間の隙間調節構造。
【請求項３】
他方の部材（１７）は、ねじ孔（４２）の両側に突設した一対の支持壁（３７）を有し、該両支持壁（３７）の対向面（３７ａ）それぞれに凹部（４５）が対峙して形成され、該両凹部（４５）に前記コイルばね（４６）の一端部が嵌入していることを特徴とする請求項１記載の部材間の隙間調節構造。
【発明の詳細な説明】
【技術分野】
【０００１】
本発明は、部材間の隙間を調節するための隙間調節構造に関する。
【背景技術】
【０００２】
例えば芝刈り機は、芝刈り機本体に回転刃と固定刃とを有している。また、回転刃と固定刃との間の隙間を調節するために、固定刃を回転刃に対して接近離間させる隙間調節構造を有して、回転刃と固定刃との間の隙間を調節することで切れ味を良くする。この隙間調節構造は、固定刃の支持部に形成された挿通孔に挿通されるとともに回転刃の支持部に形成されたねじ孔に螺合する調節ねじと、調節ねじに外装された状態で両支持部間に配置され、且つ支持部どうしを離間させる方向に付勢する調節ねじ緩み止め用のコイルばねとを有している。この隙間調節構造では、コイルばねが伸縮するようねじを回転させることで、両刃間の隙間の量が調節される（例えば、引用文献１参照）。
【０００３】
ところで、回転刃は芝刈り機本体に着脱自在に設けられて、交換可能となっている。回転刃として、リール刃、サッチング刃があり、これら回転刃を交換する場合、例えば芝刈り機本体を立てた姿勢とし、調節ねじを支持部から取外すことで、固定刃を回転刃の側方から回避させ、回転刃の側方を開放状態として行う。コイルばねは、固定刃の支持部と回転刃の支持部との間にあるだけなので抜け落ち易いため、必ず調節ねじを支持部から取外し、別に保管しておく必要がある。
【０００４】
回転刃を交換した後は、再び固定刃との間の隙間の量を調節する必要があるから、使用者は、固定刃の支持部の挿通孔に調節ねじを挿通し、例えば調節ねじにコイルばねを外装した状態で調節ねじを回転刃の支持部のねじ孔に位置合わせして螺合させるようにし、その後、調節ねじを回して回転刃と固定刃との間の隙間を調節する。
【０００５】
【特許文献１】実開昭５２−１１７４６４号公報
【発明の開示】
【発明が解決しようとする課題】
【０００６】
しかしながら、固定刃の支持部の挿通孔に挿通した調節ねじの先端を、回転刃の支持部のねじ孔に位置合わせすることは容易ではない。しかも、コイルばねは単に調節ねじに外装されているだけであるので、コイルばねが抜け落ちないように、例えば片方の手でコイルばねを保持しながら調節ねじを操作して、これをねじ孔に螺合させなければならない。かかる作業上の問題は、回転刃の交換作業のみならず、組立て時においても同様である。更には、かかる作業上の問題は、芝刈り機に限らず、他の種々の機械等において使用されているこの種の隙間調節構造に共通した問題である。
【０００７】
そこで本発明は、一方の部材側の調節ねじを他方の部材側のねじ孔に螺合する作業を容易に行うことのできる部材間の隙間調節構造の提供を課題とする。
【課題を解決するための手段】
【０００８】
本発明の部材間の隙間調節構造は、一方の部材１６と他方の部材１７とを接近離間自在とするために、前記一方の部材１６に形成された挿通孔８１に挿通されるとともに他方の部材１７に形成されたねじ孔４２に螺合する調節ねじ８２と、該調節ねじ８２に外装された状態で前記両部材１６，１７間に配置されて両部材１６，１７どうしを離間させる方向に付勢する調節ねじ緩み止め用のコイルばね４６とを有し、前記調節ねじ８２を回転させることで前記一方の部材１６と他方の部材１７との間の隙間δの量を調節する部材間の隙間調節構造であって、前記ねじ孔４２が前記コイルばね４６の一端開口の内側に位置するようコイルばね４６が前記他方の部材１７に取付けられていることを特徴としている。
【０００９】
上記構成において、調節ねじ８２を回転させることによって、他方の部材１７に対して一方の部材１６が接近離間し、両部材間１６，１７の隙間δを調節することができる。そして、コイルばね４６は他方の部材１７に取付けられているから、調節ねじ８２を一方の部材１６の挿通孔８１に挿通し、他方の部材１７のねじ孔４２に螺合する際、コイルばね４６が調節ねじ８２の案内機能を果たすとともに、他方の部材１７のねじ孔４２はコイルばね４６の一端開口の内側に位置するようコイルばね４６が他方の部材１７に取付けられているから、調節ねじ８２の先端部がねじ孔４２に位置決めし易い。したがって、一方の部材１６を他方の部材１７に向けて接近させる際の作業、およびそれに続く作業として、一方の部材１６と他方の部材１７との間の隙間δを調節する作業を楽に行うことができる。
【００１０】
上記部材間の隙間調節構造では、調節ねじ８２を回転させて一方の部材１６の挿通孔８１、他方の部材１７のねじ孔４２から調節ねじ８２を取外すようにすることで、他方の部材１７に対して一方の部材１６を離間させるとき、コイルばね４６は他方の部材１７に取付けられているから、調節ねじ８２を上記のように取外してもコイルばね４６は他方の部材１７に保持される。したがって、調節ねじ８２を取外すときコイルばね４６が抜け落ちないようにコイルばね４６を作業者が保持しながら行う必要がなく、調節ねじ８２を取外して一方の部材１６を他方の部材１７に対して離間させる際の作業が楽になる。
【００１１】
本発明の部材間の隙間調節構造は、ねじ孔４２の開口部近傍にコイルばね４６の一端部が嵌合する嵌合部３７，４５が設けられていることを特徴としている。
【００１２】
上記構成において、コイルばね４６の一端部は嵌合部３７，４５に嵌合することで、他方の部材１７に確実に保持されるから、調節ねじ８２を上記のようにして取外しても、コイルばね４６は他方の部材１７に確実に保持される。したがって、調節ねじ８２を取外すときコイルばね４６が抜け落ちないようにコイルばね４６を作業者が保持しながら行う必要がなく、調節ねじ８２を取外して一方の部材１６を他方の部材１７に対して離間させる際の作業が楽になる。さらに、コイルばね４６の一端部は嵌合部３７，４５に嵌合して他方の部材１７に確実に保持されるから、調節ねじ８２を一方の部材１６の挿通孔８１に挿通し、他方の部材１７のねじ孔４２に螺合する際、コイルばね４６をいっそう安定させた状態で、確実に調節ねじ８２を案内することが可能になる。
【００１３】
本発明の部材間の隙間調節構造では、他方の部材１７は、ねじ孔４２の両側に突設した一対の支持壁３７を有し、該両支持壁３７の対向面３７ａそれぞれに凹部４５が対峙して形成され、該両凹部４５に前記コイルばね４６の一端部が嵌入していることを特徴としている。
【００１４】
上記構成において、コイルばね４６の一端部は、両支持壁３７の対向面３７ａそれぞれに形成された凹部４５に確実に嵌入して保持されているから、調節ねじ８２を上記のように取外してもコイルばね４６は他方の部材１７に確実に保持され、調節ねじ８２を取外して一方の部材１６を他方の部材１７に対して離間させる際の作業が楽になる。さらに、コイルばね４６の一端部は、両支持壁３７の対向面３７ａそれぞれに形成された凹部４５に確実に嵌入して保持されているから、調節ねじ８２を一方の部材１６の挿通孔８１に挿通し、他方の部材１７のねじ孔４２に螺合する際にも、コイルばね４６をいっそう安定させた状態として、確実に調節ねじ８２を案内することが可能になる。
【００１５】
なお、他方の部材１７にコイルばね４６を取付けるために、他方の部材１７にコイルばね４６のねじり方向に沿った所定長さの螺旋状の孔を形成し、この孔にコイルばね４６の一端部を挿入して取付けることも考えられる。このように構成して、コイルばね４６を他方の部材１７に取付けることでも、上記と同様に、調節ねじ８２を取外して一方の部材１６を他方の部材１７に対して離間させる際の作業が楽になり、調節ねじ８２を一方の部材１６の挿通孔８１に挿通して、他方の部材１７のねじ孔４２に螺合する際にも、コイルばね４６をいっそう安定させた状態として、調節ねじ８２を案内することが可能になる。さらに、他方の部材１７にコイルばね４６を取付けるために、接着剤を用いる構成も考えられる。
【発明の効果】
【００１６】
本発明によれば、他方の部材に設けられたねじ孔がコイルばねの一端開口の内側に位置するようコイルばねを他方の部材に取付けたことにより、一方の部材を他方の部材に向けて接近させる際の作業が容易になる。
【発明を実施するための最良の形態】
【００１７】
以下、本発明の実施形態に係る部材間の隙間調節構造を、芝刈り機に適用させた場合を例に、図面に基づいて説明する。図１は芝刈り機の一部を省略した正面図、図２は芝刈り機の底面図、図３は芝刈り機本体を立てた状態の内部構造を示す一部省略正面断面図、図４は要部を示す拡大正面断面図、図５は芝刈り機の駆動部を中心に表した一部破断側面図、図６は芝刈り機本体を立てた状態で回転刃を交換する際の一部省略正面断面図、図７は保持体の側面図、図８は保持体の一部拡大側面図、図９は図７におけるＤ−Ｄ矢視断面図である。
【００１８】
図１乃至図３に示すように、芝刈り機１は芝刈り機本体２を有し、芝刈り機本体２はニ分割された下側本体部３と上側本体部４とを止めねじ５によって固定することで組付けられている。上側本体部４の後方に、支軸６回りに回動自在に操作ハンドル７の基端部が取付けられている。
【００１９】
下側本体部３の前部に、車輪１０が配置され、車輪１０をその支軸１１回りに回転自在に支持する支持部１２が設けられている。下側本体部３の後部にローラ１３が配置され、ローラ１３をその支軸１４回りに支持する支持部１５が設けられている。図２に示すように、芝刈り機本体２（下側本体部３）における車輪１０とローラ１３との間に、固定刃１６（一方の部材に相当する）と回転刃１７（他方の部材に相当する）とが配設されている。
【００２０】
図示の回転刃１７として、リール刃を示している。リール刃は、芝刈り機本体２の幅方向Ｃに沿う軸体２０と、この軸体２０に、該軸体２０の径方向に突出する連結部材２１を介して固定されて周方向等間隔に配置された螺旋状の複数の回転刃部２２と、図５に示すように軸体２０をその両端部の小径部２３で軸心２０ａ回りに回転自在に支持する軸受装置２５とを有する。
【００２１】
軸受装置２５は、軸受２７（玉軸受）と、この軸受２７を覆うとともに、下側本体部３の各側壁２８，２９の内面に沿うように配置された取付けプレート３０の取付け片３０ａに着脱自在に取付けられる保持体３１とから構成されている。
【００２２】
図３乃至図６に示すように、保持体３１は、軸受２７の外輪３２相当部を覆う環状部３３と、この環状部３３から前後方向に延長された延長部３４とを有する。図７に示すように、延長部３４それぞれの前後端面は円弧状に形成されている。延長部３４の外周縁部に、該縁部に沿って図７中、上下方に突出するＵ字形の外壁３５，３６が形成され、これら外壁３５，３６それぞれは、幅方向Ｃで対峙する支持壁部３７と、支持壁部３８とを図７中、環状部３３を挟んで上下に有する。延長部３４それぞれの前後端部側に延長部３４の厚み方向に貫通する孔部３９が形成されている。図４、図９に示すように、保持体３１は、各孔部３９に連通するねじ孔４０（雌ねじ）を有する前記取付け片３０ａの上面に溶接により一体化されたナット４１を有する。各孔部３９と環状部３３との間にはねじ孔４２（雌ねじ）が環状部３３を挟んで一対で形成されている。図８に示すように、支持壁部３７の対向面３７ａに、ねじ孔４２の中心４２ａを同心にした円弧状の凹部４５（嵌合部に相当する）が、幅方向Ｃで対峙（対向）した位置に形成されている。凹部４５にコイルばね４６の一端部（上端一端部）の外周一部が嵌入されている。すなわち、支持壁部３７と凹部４５とで、本発明の嵌合部が構成され、ねじ孔４２、凹部４５、およびコイルばね４６は同心である。そして、ねじ孔４２を、コイルばね４６の一端開口の内側（内径側）に位置させており、コイルばね４６を保持体３１に保持させた構成となっている。なお、凹部４５の円弧径はコイルばね４６の巻き径と同等か、わずかに大きく設定されている。
【００２３】
また、図４に示すように、保持体３１の各孔部３９に第一取付けボルト５０が挿通され、この第一取付けボルト５０がナット４１のねじ孔４０に螺合することで、保持体３１が取付けプレート３０に着脱自在に取付けられている。
【００２４】
回転刃１７の軸体２０の小径部２３は、軸受装置２５の軸受内輪を貫通し、小径部２３は、取付けプレート３０より幅方向Ｃ外方に突出している。芝刈り機１は、回転刃１７すなわち軸体２０を回転させるための駆動部５１を有する。この駆動部５１は、軸受４９などを有する支持装置５２を介して芝刈り機本体２に内装支持された駆動モータ５３と、この駆動モータ５３の駆動軸５４に外嵌固定された小径プーリ５５と、前記軸体２０の小径部２３に外嵌固定された大径プーリ５６と、前記小径プーリ５５と大径プーリ５６とを一体に回転するよう両プーリ５５，５６に巻掛けられる伝動ベルト５７などを有する。
【００２５】
大径プーリ５６の中心に幅方向Ｃ内方に突出するよう筒軸部６０が形成され、この筒軸部６０は軸受装置２５の環状部３３に幅方向Ｃ外方から挿入されるとともに、軸体２０の小径部２３に外嵌されている。そして、この小径部２３の先端突出部に形成された雄ねじ６１にナット６２を締付けることで、大径プーリ５６と軸体２０とが軸心２０回りに一体に回転するよう組付けられている。
【００２６】
前記下側本体部３における回転刃１７の側方に相当する領域に、その領域を開閉するための蓋部材５９が、図１に示す止めねじ６３によって着脱自在に取付けられている。
【００２７】
次に、一方の部材としての前記固定刃１６の構成を説明する。図２乃至図５に示すように、固定刃１６は、前記取付けプレート３０の後部間に架け渡すよう設けられた固定刃用軸体６５に、回動自在に取付けられている。固定刃１６は、固定刃用軸体６５に回動自在に支持された帯板状のホルダー６６と、このホルダー６６の先端部６７から突出するようホルダー６６の下面に基部６８が固定された固定刃部７０と、ホルダー６６の先端部６７の幅方向Ｃ両側に一体に設けられた取付け部材７１とを有する。取付け部材７１は、ホルダー６６の先端部６７の両側の一部を上方に向けて折曲させた折曲片７１Ａと、この折曲片７１Ａの先端部をほぼホルダー６６の先端部６７に沿うように幅方向Ｃ外方に向けて折曲した取付け片７１Ｂとを有する。ホルダー６６は、その幅方向Ｃ両側の基端部に形成されたブラケット６９を介して固定刃用軸体６５に支持され、ブラケット６９には、これを固定刃用軸体６５に対してその径方向外方から組付けるための溝６５ａが形成されている。
【００２８】
図２，図３，図４，図６に示すように、固定刃部７０は、その基部６８が、取付けねじ７３によってホルダー６６の先端部６７に固定されている。取付けねじ７３は、幅方向Ｃ等間隔に配置されている。取付け部材７１の取付け片７１Ｂに挿通孔８１が形成され、挿通孔８１を第二取付けボルト８２（調節ねじに相当する）が挿通し、且つ第二取付けボルト８２がコイルばね４６の内径空間を挿通（コイルばね４６が第二取付けボルト８２を外装）し、さらに保持体３１の延長部３４のねじ孔４２に螺合することで、固定刃１６が固定刃用軸体６５と保持体３１との間で支持されている。コイルばね４６は、保持体３１の延長部３４の底面３４ａと、取付け部材７１の取付け片７１Ｂの上面７１ｂをばね座として、保持体３１と取付け部材７１とを離間させる方向に付勢することで、第二取付けボルト８２の緩みを防止している。コイルばね４６の上記取付け片７１Ｂに対向する端部は、固定刃用軸体６５を中心に固定刃１６を回動させた際に、挿通孔８１の軌跡上に位置して、コイルばね４６の内径空間と連通するよう配置されている。
【００２９】
このような構成では、第二取付けボルト８２を回転させて、固定刃１６を固定刃用軸体６５回りに回動させることで固定刃部７０の先端部７０ａと回転刃部２２の先端部２２ａとを接近離間させ、固定刃部７０の先端部７０ａと回転刃部２２の先端部２２ａとの間の隙間δの量を調節する隙間調節構造となっている。例えば隙間δを小さくしたいときはコイルばね４６の弾性に抗してレンチ等の工具によって第二取付けボルト８２を一方向（締付け方向）に回転させ、逆に隙間δを大きくしたときは第二取付けボルト８２を他方向（緩め方向）に回転させれば、隙間δが調節される。図１において符号９０は、刈った芝が入る集草かごを示し、この集草かご９０は芝刈り機本体２の後部に設けたフック９１に着脱自在に設けられている。
【００３０】
回転刃１７を交換する必要が生じた場合、例えば、芝刈り機を図３，図４，図６に示すように後方を下にして立て、芝刈り機１の底部を側方に位置させる。そして、回転刃１７の側方には固定刃１６があるから、まず固定刃１６を固定刃用軸体６５回りに回動させることで回転刃１７の側方を開放させる。この場合、第二取付けボルト８２を緩める方向に回転させて、これを回転刃１７の保持体３１と、取付け部材７１から取外す。そうすると、固定刃１６が固定刃用軸体６５回りにフリーの状態となるから、固定刃１６を図３，図４，図６において反時計方向に回動させることが可能になる。
【００３１】
このとき、コイルばね４６は、保持体３１の支持壁部３７の凹部４５に一端部が嵌入されているから、上記のように第二取付けボルト８２を回転刃１７の保持体３１と、固定刃１６の取付け部材７１から取外しても、コイルばね４６は保持体３１に保持されたままの状態となる。このため、従来のようにコイルばね４６を使用者が手で持って第二取付けボルト８２を取外すといった作業上の煩わしさを解消することができ、さらに、コイルばね４６が芝刈り機本体２の内部に落下したりする状態を防止することができる。
【００３２】
回転刃１７の交換については、まず、止めねじ６３を蓋部材５９から取外し、蓋部材５９を下側本体部３から取外すことで、回転刃１７の側方に相当する領域を開放させる。次に、ナット６２を緩めて大径プーリ５６を軸体２０の小径部２３から取外しておく。一方で、第一取付けボルト５０を緩めてナット４１のねじ孔４０から外して保持体３１から取外す。予め回転刃１７の側方は開放されているので、回転刃１７を手前に引くようにすれば、回転刃１７を芝刈り機本体２から取外すことができる。なお回転刃１７の交換に際しては、軸体２０、連結部材２１および回転刃部２２からなる一体部分のリール刃部分のみを交換し、軸受装置２５は、新規な回転刃１７を構成する部品として再使用する。例えば回転刃１７の回転刃部２２が使用によって磨耗したことにより、新規の回転刃１７に交換するときは、その軸体２０の各小径部２３にこれまで使用していた軸受装置２５をそれぞれ装着するようにする。このとき、コイルばね４６は、保持体３１の支持壁部３７の凹部４５に嵌入されており、したがってコイルばね４６は保持体３１に保持されたままの状態となっている。そして再び第一取付けボルト５０を用いて取付けプレート３０に保持体３１を固定し、大径プーリ５６を軸体２０の小径部２３に装着し、ナット６２を雄ねじ６１に締付けるとともに、両プーリ５５，５６に伝動ベルト５７を巻掛ける。そして、止めねじ６３によって下側本体部３に蓋部材５９を固定する。
【００３３】
上記のようにして回転刃１７を交換し終えたら今度は、固定刃１６を固定刃用軸体６５と保持体３１とで支持させることになる。この場合、ホルダー６６を固定刃用軸体６５回りに時計方向に回動させて、取付け部材７１をコイルばね４６にできるだけ近づけるか、あるいは接触させることで、挿通孔８１とコイルばね４６の内径空間と連通させておき、第二取付けボルト８２を挿通孔８１に挿通させ、さらに押し込む。そうすると、第二取付けボルト８２は、コイルばね４６の内径空間を通過することになる。すなわち、コイルばね４６が第二取付けボルト８２の案内機能を果たすことになる。更に、保持体３１のねじ孔４２は、コイルばね４６の一端開口の内側（内径側）に位置させているから、第二取付けボルト８２をコイルばね４６に案内させたとき、第二取付けボルト８２の先端部をねじ孔４２に容易に位置決めすることが可能となる。第二取付けボルト８２をねじ孔４２に位置決めしたら、第二取付けボルト８２をコイルばね４６の弾性に抗して一方向に回転させて、第二取付けボルト８２をねじ孔４２に螺合することで、固定刃１６は固定刃用軸体６５と保持体３１との間で支持されることになる。その後は、第二取付けボルト８２を更に一方向、あるいは他方向に回転させることで、固定刃部７０の先端部７０ａと回転刃部２２の先端部２２ａとの間の隙間δの量を調節することができる。
【００３４】
なお、保持体３１は、長手方向の中心に関して対称形状としてある。これは、使用者が軸体２０の両端の小径部２３に保持体３１（軸受装置２５）を組込む際に方向性を考慮する必要をなくし、両端の小径部２３のどちらにも共通に使用できる部品とするためである。
【００３５】
また、使用する回転刃１７の相違に応じて、用いる固定刃１６の固定刃部７０の形状が異なる場合があるが、固定刃１６における固定刃部７０以外の構成は同様である。この場合、固定刃１６を固定刃用軸体６５から取外して交換する必要が生じるが、固定刃１６全体を固定刃用軸体６５の径方向に引くようにすると、溝６５ａによってブラケット６９が案内されて、固定刃１６を固定刃用軸体６５から取外すことができ、固定刃１６を回転刃１７の種類に応じて交換することができる。
【００３６】
さらに、上記実施形態では隙間調節構造を用いた機械装置として、芝刈り機１を例にあげたが、本発明はこれに限定されるものではない。すなわち、一方の部材に形成した挿通孔に挿通するとともに他方の部材に形成したねじ孔に螺合する調節ねじと、調節ねじに外装した状態で両部材間に配置されて両部材どうしを離間させる方向に付勢する調節ねじ緩み止め用のコイルばねとを有して、調節ねじを回転させることで、両部材間の隙間の量を調節する機械装置であれば、本発明の隙間調節構造は適用可能であり、また上記と同様の作用効果を奏し得る。
【図面の簡単な説明】
【００３７】
【図１】本発明の実施形態を示す芝刈り機の一部省略断面図。
【図２】同じく芝刈り機の底面図。
【図３】同じく芝刈り機本体を立てた状態の内部構造を示す一部省略正面断面図。
【図４】同じく要部を示す拡大正面断面図。
【図５】同じく芝刈り機の駆動部を中心に表した一部破断側面図。
【図６】同じく芝刈り機本体を立てた状態で回転刃を交換する際の一部省略正面断面図。
【図７】同じく保持体の側面図。
【図８】同じく保持体の一部拡大側面図。
【図９】同じく図７におけるＤ−Ｄ矢視断面図。
【符号の説明】
【００３８】
１…芝刈り機、２…芝刈り機本体、７…操作ハンドル、１６…固定刃、１７…回転刃、２０…軸体、２２…回転刃部、２５…軸受装置、３１…保持体、３３…環状部、３４…延長部、３５，３６…外壁、３７，３８…支持壁部、４１…ナット、４５…凹部、４６…コイルばね、５０…第一取付けボルト、５６…大径プーリ、５９…蓋部材、６５…固定刃用軸体、６６…ホルダー、７０…固定刃部、７１…取付け部材、８１…挿通孔、８２…第二取付けボルト
【図１】
2006094797.tif 000003
【図２】
2006094797.tif 000004
【図３】
2006094797.tif 000005
【図４】
2006094797.tif 000006
【図５】
2006094797.tif 000007
【図６】
2006094797.tif 000008
【図７】
2006094797.tif 000009
【図８】
2006094797.tif 000010
【図９】
2006094797.tif 000011